(57)【要約】【課題】  Ｖ溝等に固定される光ファイバなどのライトガイドの光軸ずれを、Ｖ溝等に搭載された状態での光軸方向の位置調整によって保証できる、結合損失の小さい光結合装置を提供すること。【解決手段】  光伝送媒体１の端面とライトガイド２の端面とが互いに対向する平行な平坦端面として光軸に対し傾斜しており、前記ライトガイド２の案内を受ける光軸方向の位置は、それら互いに対向する平行な端面間の間隔が前記ライトガイド２と前記光伝送媒体１との光軸間距離のそれら端面の傾斜の方位に平行な方向成分を、伝送光がその端面間においてスネルの法則に従って伝播するのに必要な光軸方向距離に等しい位置とされる。【選択図】図１
2005292519.tif 000002
【特許請求の範囲】
【請求項１】
伝送光の光軸方向にのみ可動に案内されて装備されるライトガイドと、該ライトガイドの光軸と平行な光軸を有する光伝送媒体とを含み、前記ライトガイドの端面と前記光伝送媒体の端面とを対向させて前記ライトガイド及び前記光伝送媒体間で伝送光を結合する光結合装置において、
前記ライトガイドの端面及び前記光伝送媒体の端面は互いに対向する平行な平坦端面となっておりかつ該平坦端面が前記各光軸に対し傾斜しており、
前記ライトガイドの前記案内を受ける前記光軸方向の位置は、前記ライトガイド及び前記光伝送媒体の互いに対向する平行な前記端面間の間隔が、前記ライトガイドと前記光伝送媒体との前記光軸同士の光軸間距離の前記端面の傾斜の方位に平行な方向成分を、前記伝送光が前記端面間においてスネルの法則に従って伝播するのに必要な前記光軸方向の距離に等しい位置とされることを特徴とする光結合装置。
【請求項２】
互いに平行な光軸を有するライトガイドと光伝送媒体との間で伝送光を結合する光結合装置において、
前記ライトガイドと前記光伝送媒体との間には前記ライトガイド及び前記光伝送媒体の前記光軸と平行な光軸を有するとともに光軸方向にのみ可動に案内されて装備される調整用ライトガイドが介挿されており、
前記調整用ライトガイドの一方の端面と前記ライトガイドの端面とは、互いに対向する平行な平坦端面となっておりかつ該平坦端面がそれらの前記各光軸に対し傾斜しており、
前記調整用ライトガイドの他方の端面と前記光伝送媒体の端面とも互いに対向する平行な平坦端面となっておりかつ該平坦端面のそれらの前記各光軸に対し傾斜しており、
前記調整用ライトガイドに対向する前記ライトガイドの前記端面の傾斜と、前記光伝送媒体に対向する前記調整用ライトガイドの前記端面の傾斜とは、それらの前記各光軸周りの方位に関し互いに逆向きであり、
前記調整用ライトガイドの前記案内を受ける前記光軸方向の位置は、前記ライトガイドと前記光伝送媒体との前記光軸同士の光軸間距離のそれらの前記端面の傾斜の方位に平行な方向成分が、伝送光が前記ライトガイドと前記調整用ライトガイドとの前記端面間及び前記調整用ライトガイドと前記光伝送媒体との前記端面間の２つの端面間においてスネルの法則に従い前記端面の傾斜の方位に平行な方向につき互いに逆向きに伝播する距離の差し引きに等しい位置とされることを特徴とする光結合装置。
【発明の詳細な説明】
【技術分野】
【０００１】
本発明は、ライトガイドとライトガイドや光フィルタ素子その他の光伝送媒体との結合をはかる光結合装置に関し、特に、Ｖ溝その他に装備されて光軸方向にのみ位置調整が可能とされるライトガイドと光伝送媒体との相互の光軸ずれを補償して結合する光結合装置に関する。
【背景技術】
【０００２】
従来、直角二等辺三角形の断面形状を有する第１プリズムと、それに接する第２プリズムと、分布屈折率型ガラスロッドが直接又は間接に接続された２本の光ファイバとを含む光モジュールが知られている。
【０００３】
光モジュールは、光分岐あるいは光分波、合成機能を有する反射膜が第１あるいは第２プリズムの当接面に形成され、分布屈曲率型ガラスロッド端面と第１プリズムの一面とが接する構成となっている。２本の光ファイバは、光保持部品に設けられたＶ溝に固定されている（例えば、特許文献１を参照）。
【０００４】
また、従来、複数の波長からなる入射光のうち、特定の波長の光を透過し、それ以外の波長の光を反射する多層干渉フィルタ膜を一面に形成した透明な平行平板からなる光分波・合波阻止と、光分波・合成素子に光を入射する入力用光ファイバ、および光分波・合波素子の出射光を伝送する出射光を伝送する出力用光ファイバが、基台の方形溝に固定して構成された光分波・合波器がある（例えば、特許文献２を参照）。
【０００５】
【特許文献１】特開平９−２６５２５号公報
【特許文献２】特開平１１−２６４９１６号公報
【発明の開示】
【発明が解決しようとする課題】
【０００６】
特許文献１，２における光ファイバは、基板に設けられたＶ溝に固定されており、Ｖ溝方向すなわち光軸方向以外の方向に係る光軸ずれに対するアライメント調整は不可能である。そこで従来のこれらの方法においては、光軸に垂直な方向の相互の位置合わせは、もっぱらＶ溝などの深さ、幅、Ｖ溝間距離などを超精密に加工することに依存して成り立っていた。
【０００７】
しかしながらこれらの寸法は、加工精度が±１μｍ程度である。また光ファイバの外形も±１μｍ程度の誤差があり組立においても光ファイバ固定用の接着剤の厚さ、組立のバラツキ等加わり総合でＸ、Ｙ方向に±２〜３μｍの誤差はでる。シングルモード光ファイバの場合、コア径が約１０μｍ程度であるので結合損失の原因となる。さらに加えてフィルタの角度や入力ファイバと出力ファイバとの角度に対する加工誤差、組立誤差も見逃せない事となる。
【０００８】
それ故に、本発明の課題は、Ｖ溝などに固定されて光軸方向以外の位置調整が不可能な光ファイバその他のライトガイドの光軸ずれを、そのＶ溝などに搭載された状態において調整する手段を提供し、上記諸因子によるわずかな誤差などをも補償することができる、高結合効率の光結合装置を実現することである。
【課題を解決するための手段】
【０００９】
本発明は、伝送光の光軸方向にのみ可動に案内されて装備されるライトガイドと、該ライトガイドの光軸と平行な光軸を有する光伝送媒体とを含み、前記ライトガイドの端面と前記光伝送媒体の端面とを対向させて前記ライトガイド及び前記光伝送媒体間で伝送光を結合する光結合装置において、前記ライトガイドの端面及び前記光伝送媒体の端面は互いに対向する平行な平坦端面となっておりかつ該平坦端面が前記各光軸に対し傾斜しており、前記ライトガイドの前記案内を受ける前記光軸方向の位置は、前記ライトガイド及び前記光伝送媒体の互いに対向する平行な前記端面間の間隔が、前記ライトガイドと前記光伝送媒体との前記光軸同士の光軸間距離の前記端面の傾斜の方位に平行な方向成分を、前記伝送光が前記端面間においてスネルの法則に従って伝播するのに必要な前記光軸方向の距離に等しい位置とされることを特徴とする光結合装置であることを最も主要な特徴とする。
【００１０】
また、本発明は、互いに平行な光軸を有するライトガイドと光伝送媒体との間で伝送光を結合する光結合装置において、前記ライトガイドと前記光伝送媒体との間には前記ライトガイド及び前記光伝送媒体の前記光軸と平行な光軸を有するとともに光軸方向にのみ可動に案内されて装備される調整用ライトガイドが介挿されており、前記調整用ライトガイドの一方の端面と前記ライトガイドの端面とは、互いに対向する平行な平坦端面となっておりかつ該平坦端面がそれらの前記各光軸に対し傾斜しており、前記調整用ライトガイドの他方の端面と前記光伝送媒体の端面とも互いに対向する平行な平坦端面となっておりかつ該平坦端面のそれらの前記各光軸に対し傾斜しており、前記調整用ライトガイドに対向する前記ライトガイドの前記端面の傾斜と、前記光伝送媒体に対向する前記調整用ライトガイドの前記端面の傾斜とは、それらの前記各光軸周りの方位に関し互いに逆向きであり、前記調整用ライトガイドの前記案内を受ける前記光軸方向の位置は、前記ライトガイドと前記光伝送媒体との前記光軸同士の光軸間距離のそれらの前記端面の傾斜の方位に平行な方向成分が、伝送光が前記ライトガイドと前記調整用ライトガイドとの前記端面間及び前記調整用ライトガイドと前記光伝送媒体との前記端面間の２つの端面間においてスネルの法則に従い前記端面の傾斜の方位に平行な方向につき互いに逆向きに伝播する距離の差し引きに等しい位置とされることを特徴とする光結合装置であることを最も主要な特徴とする。
【発明の効果】
【００１１】
本発明の光結合装置によれば、従来同様、ライトガイドと光伝送媒体が基板に設けられたＶ溝に固定されるが、Ｘ，Ｙ方向のアライメント調整用の光ガイドをＶ溝に沿って動かすことによって直交するＸ、Ｙ方向の光路の調芯が可能となる。
【００１２】
また、本発明の光結合装置によれば、Ｖ溝内に配置されたＸ方向の軸周り、Ｙ方向の軸周りのアオリ調整用ライトガイドを光軸周りに回転させることによりＸ方向の軸周り、Ｙ方向の軸周りの調芯が可能となる。
【００１３】
従って、Ｘ、Ｙ方向に±２〜３μｍの加工、取り付け誤差が生じてもまた角度に対する加工誤差、組立誤差が生じてもアライメント技術を利用することにより調芯が可能となり結合損失の小さい光結合装置を提供できる。
【発明を実施するための最良の形態】
【００１４】
ライトガイドと光伝送媒体とは例えば基板に設けられたＶ溝に固定されるが、傾斜した端面を有するライトガイドをそのＶ溝などに沿って位置調整することで、従来は不可能であった光軸に垂直な方向の光路の修正が可能となる。
【００１５】
そして、本発明によれば、例えば、Ｖ溝に光ファイバを固定してなる光路中に平行平板に構成される光フィルタ素子のごとき光路オフセット作用のある素子が挿入される場合の光路オフセットの補償や、互いに深さの異なるＶ溝同士に固定される光ファイバ間、あるいは同一のＶ溝上に固定される互いに径の異なる光ファイバ間の光軸ずれの調整、Ｖ溝や光ファイバなどの製造精度誤差によるわずかな軸ずれの補償がそのＶ溝などの上において可能になり、結合損失の小さい光結合装置を提供できる。
【００１６】
本願発明にいうライトガイドには各種光ファイバのほか、柱状のＧＲＩＮ（グレーデッド・インデックス）レンズ、ロッドガラスのような単なる柱状透明体などが含まれる。その他、光軸方向に機械的案内を受けることができるあらゆる光導波デバイスが含まれる。
【００１７】
また、本願発明にいう光伝送媒体には、上記ライトガイドのほか、たとえば、図１に示す光学的成膜基板１など、外部と光結合する端面を有して、光を伝送するあらゆる光学デバイスが含まれる。
【００１８】
また、本発明にいう「伝送光の光軸方向にのみ可動に案内されて装備される」とは、光ファイバや柱状のＧＲＩＮレンズなどが基板表面に形成される断面Ｖ溝や断面矩形溝などの溝に載置されたり、あるいはキャピラリーなどの細管に挿入される形態が含まれる。
【００１９】
その他、凸条などの機械的案内を備える搭載用基板にその凸条に沿って光導波路基板を搭載する形態なども可能である。
【００２０】
なおまた、本願発明にいう「端面の傾斜の方位」とは、端面の光軸方向の最大傾斜の向きを表すベクトルの光軸周りの方位と規定しても、端面の法線ベクトルの光軸周りの方位と規定してもよい。光軸周りの方位は、光軸に酢直な断面に射影するベクトルの向きである。
【００２１】
以下、本願発明の実施例を説明する。
【実施例１】
【００２２】
図１は、本願の請求項１に係る発明の光結合装置において光伝送媒体に板状の光学的成膜基板１を選び、ライトガイド２に光ファイバを選んだ実施例１を示している。図１を参照して、光結合装置は、光学的成膜基板（光伝送媒体）１と、ライトガイド２とを備えている。光学的成膜基板１は、傾斜角θａにて傾斜した状態で設置されている。光学的成膜基板１には、光学的成膜１ａと、光学的成膜１ａによって光３ａを反射させるとともに光３ｂとしてライトガイド２へ透過させる光学的成膜１ｂとが設けられている。光学的成膜１ａ，１ｂは、光３の光軸を交叉するように光学的成膜基板１に位置している。
【００２３】
光学的成膜１ｂに対向しているライトガイド２の端面は、傾斜角θａの光学的成膜基板１に対し傾斜角θｂ（θｂ＝１８０°−θａ）で研磨されている。この構成においては、ライトガイド２を図１に示したＺ方向に移動し、光学的成膜１ｂとライトガイド２との距離を調整することで、Ｚ方向と直交するＸ方向について光路を調整することができる。
【００２４】
なお、図１の光結合装置は、光路に対し傾斜して設置される光学的成膜基板１によって生じるその傾斜方向の光軸ずれを調整するのに有用である。図１の光結合装置では、光が集光されているところにアライメント機構を挿入すると、調整用ライトガイドをアライメントのために移動することにより焦点位置が変わる。そのためアライメントとは別に焦点位置を調整するための機構が必要となる。しかし、光がコリメートされた並行光であれば特に焦点位置が変わることが無く問題は無い。
【実施例２】
【００２５】
図４は、本願の請求項１に係る発明の光結合装置において光伝送媒体とライトガイドにともに光ファイバであるライトガイド４，５を選んだ実施例２を示している。
【００２６】
ライトガイド４の端面とライトガイド５の端面とは、互いに対向する平行な平坦端面としてそれらの光軸に対し傾斜角θａ，θｂで傾斜している。ライトガイド５の案内を受ける光軸方向の位置は、それら互いに対向する平行な端面間の間隔がライトガイド４とライトガイド５の光軸間距離のそれら端面の傾斜の方位に平行な方向成分を、伝送光がその端面間においてスネルの法則に従って伝播するのに必要な光軸方向距離に等しい位置とされる。この構成においてライトガイド５をＺ方向に移動しライトガイド４とライトガイド５との距離を調整することでＸ方向に係る光軸の調整ができる。なお、図４の光結合装置は、例えば、光結合すべきライトガイド間でライトガイドを固定するＶ溝の深さが子ｔなる場合や、同一深さの溝に固定されるライトガイドの径が相互に異なる場合などに、２つのライトガイドの端面の傾斜の方位をそのＶ溝基板板面に垂直な方向に設置して光軸ずれを調整するのに有用である。
【００２７】
ここで、以上の実施例１、実施例２に共通する端面間での光軸調整の原理を、図２を参照して説明する。
【００２８】
図２は、ライトガイドの光結合装置の原理を示している。図２を参照して、ライトガイド５９の端面５９ａは、傾斜角θの傾きで研磨されている。ライトガイド６０の端面６０ａは、ライトガイド５９の端面５９ａと平行になるよう研磨されている。ライトガイド５９からの出射側の光６１は、空気中に出るところでスネルの法則に従い屈折する（θ１→θ２）。次に、ライトガイド６０に入射するところで同様にスネルの法則に従い屈折する（θ３＝θ２，θ４＝θ１）。この時、端面５９ａと端面６０ａが平行なことから、光６１及び光６２は高さｈの距離で平行となる。
【００２９】
図２では、ライトガイド５９を伝播する光６１のライトガイド６０の光軸６５に対するずれが、ライトガイド５９とライトガイド６０との間隔をＬ寸法で離したことにより補償され、光６２となって光軸６５にアライメント出来ている。
【００３０】
なお、図２に示したｎ１は、ライトガイドの屈折率であり、ｎ２は、空気中もしくは真空中などの外界における屈折率である。
【００３１】
図３に示すグラフは、ライトガイド５９の傾きθを７５°にした時のＺ方向の距離Ｌ（μｍ）に対するＸ方向（又はＹ方向）の調整量（μｍ）を示している。ここで、ライトガイド５９，６０は、石英ガラスとしＧａｐは、空気中とした。
【実施例３】
【００３２】
図５は、本発明の請求項２に係る発明の光結合装置の構成の例であり、ライトガイド（光伝送媒体）７、ライトガイド９同士のアライメントを示している。図５を参照して、光結合装置は、互いに平行な光１０の光軸を有するライトガイド７ともう１つのライトガイド９との間で伝送光を結合する。
【００３３】
ライトガイド７とライトガイド９との間には、これらの光軸と平行な光軸を有するとともにその光軸方向にのみ可動に案内されて装備されるアライメント調整用としての調整用ライトガイド８が介挿されている。調整用ライトガイド８の一方の端面とライトガイド７の端面とは、互いに対向する平行な平坦端面としてそれらの光軸に対し傾斜している。調整用ライトガイド８の他方の端面とライトガイド９の端面とも互いに対向する平行な平坦端面としてそれらの光軸に対し傾斜角θａ，θｂ，θｃ，θｄをもって傾斜している。
【００３４】
調整用ライトガイド８に対向するライトガイド７の端面の傾斜角θａと、調整用ライトガイド８のライトガイド９に対向する端面の傾斜角θｂとは、それらの光軸周りの方位に関し互いに逆向きである。調整用ライトガイド８の案内を受ける光軸方向の位置は、ライトガイド７とライトガイド９との光軸間距離における各端面の傾斜の方位に平行な方向成分が、伝送光がライトガイド７と調整用ライトガイド８の端面間及び調整用ライトガイド８とライトガイド９の端面間における２つの端面間においてスネルの法則に従って各端面傾斜の方向につき互いに逆向きに伝播する距離の差し引きに等しい位置とされる。
【００３５】
この構成において調整用ライトガイド８をＺ方向に移動し、ライトガイド７と調整用ライトガイドの端面間距離と、調整用ライトガイド８とライトガイド９の端面間距離との距離の分配を変化させることで、図示のＸ方向に係る光軸の調整を行う。
【００３６】
なお、動作原理は、図２により説明した光結合装置の原理と同じである。また、ライトガイド７として例示した光伝送媒体が、例えば、実施例１の光学的成膜基板１のような光学デバイスであってもよいことはいうまでもない。
【００３７】
この実施例３に係る光結合装置は、光結合の目的とするライトガイド２と光伝送媒体との光軸方向の距離があらかじめ固定されている場合には、例えば、結合目的のライトガイド若しくは光伝送媒体としてのライトガイドの何れか一方またはさらにその前段に接続されている光学デバイスが集光能を有していて、結合目的の他方が光軸方向に係りその焦点距離で決まる位置に装備されることが必須であって、光軸方向の位置を可変とできない場合などが含まれる。その様子を図６に示す。
【００３８】
この場合、調整用ライトガイド８をライトガイド７側に移動すると受け側のライトガイド９に入射する光路は、図５の上方にシフトし、反対に調整用のライトガイド８をライトガイド９側に移動すると受け側のライトガイド９に入射する光路は下方にシフトする。この場合の利点は、図６に示すように光１０が集光されているところにアライメント機構を挿入してもライトガイド９への焦点位置が変わらないところにある。
【００３９】
以上述べたような実施例１乃至実施例３に係る光結合装置における光軸ずれの補償は、利用されるライトガイドの端面の傾斜の方位の方向に係る光軸ずれのみである。一般的に、課題となる光軸ずれと端面の傾斜の方位とが一致しない状態にあっては、その軸ズレの端面傾斜方位方向への射影分だけが補正される。そこで例えば直列する深さのわずかに異なる溝上に搭載される光ファイバ同士の光軸ずれの補正や、同一の溝上に直列に載置される径のわずかに異なるライトガイド７，９同士の光軸ずれの補正など、課題となる光軸のずれの方向が一意に知られている場合には、利用するライトガイドの端面の傾斜をその方向に向けておけばよい。
【００４０】
課題となる光軸のずれが溝の加工精度、光ファイバの外径や偏心のゆらぎなど、その方向がランダムである場合には、実施例１乃至実施例３によって説明した光結合装置によって互いに直交する２方向について独立に補正することで最適な光結合が得られる。
【００４１】
図７及び図８は、本発明を光分波合波器に適用した例を示している。光ファイバ１８、ライトガイド１９、柱状レンズ２０とによって構成されたファイバコリメータにより並行光にされた光２８は、フィルタ板２１に入射される。そこで光２９（λ１）は、透過し柱状レンズ２２に入射される。一方、光３０（λ２）は、反射され柱状レンズ２３に入射される。
【００４２】
柱状レンズ２２，２３に入射された光は、レンズ効果により光ファイバ２４及び２５に集光される。図７に示す構成においては、フィルタ板２１と柱状レンズ２２，２３とのそれぞれの間に本発明のアライメント機構が適用されており、その間隔を調整することで、フィルタ板２１の傾斜方向に生じる光軸ずれを補償することができる。図８に示す構成においては、柱状レンズ２２及び２３を２つに分けて、その間に本発明の機構を挿入してある。この他図示しないが、柱状レンズ２２及び２３と光ファイバ２４，２５との間に本発明の機構を挿入することもできる。
【００４３】
図９は、図８のチャンネルを増やし多チャンネル化を図った例を示す構成図である。光ファイバ３１とライトガイド３２と柱状レンズ３３で構成されたファイバコリメータにより並行光にされた光５０（λ１）〜５３（λ４）は、フィルタ板３６ａ〜３６ｄに入射される。そこで光５０（λ１）〜５３（λ４）は、透過し柱状レンズ３７〜４０に入射される。
【００４４】
柱状レンズ３７〜４０に入射された光は、レンズ効果によりライトガイド４１〜４８を介して光ファイバ４５〜４８に集光される。このような構成においてＸ，Ｙ軸方向及びＸ，Ｙ軸周りの加工誤差や組立誤差に対応しフィルタ板３４と柱状レンズ３７〜４０間、柱状レンズ３７〜４０と光ファイバ４５〜４８間、また柱状レンズ３７〜４０を２つに分けその間にアライメント機構を挿入し調芯できるようにすることができる。チャンネルが増えると加工誤差や組立誤差が累積し当該アライメント機構の採用が決め手になる。
【００４５】
図１０乃至図１２は、図９において説明した合波分波器を実装した例を示したものである。フィルタ板１５を介在した入力側の光ファイバ１４及び出力側の光ファイバ１６は、ベース１７に設けられたＶ溝１７ａに固定される。なお、図７及び図８において説明した合波分波器についても同様に光ファイバをＶ溝に固定し実装することができる。
【００４６】
なお、図１乃至図６に示されたライトガイド２，４，５，７，８，９，１９，４１〜４４は、シングルモード光ファイバ、ステップインデックス型のマルチモード光ファイバ、屈折率分布型のマルチモード光ファイバ、ロッドガラス、柱状レンズ等光を伝播する媒体であれば特に何でも良い。
【００４７】
また、ライトガイドの傾斜した端面を得るには、光ファイバ等を斜めにダイシングしてその両側から得る２本を互いに平行な端面を形成するライトガイドとして利用してもよいし、光ファイバの端面を特定の研磨角度に設定した研磨装置で研磨してもよい。後者の場合には光ファイバ等をフェルールで保持、或いはＶ溝基板で上下から挟持し、熱溶解するワックスを間隙に充填して仮固定し、そのフェルール或いはＶ溝基板でなる保持治具ごと研磨し、研磨終了後ワックスを加熱して溶解し、端面を研磨された光ファイバを取り出すことができる。斯かる用途のためのワックスが市販されている。
【００４８】
図１、図７乃至図９に示されるような工学フィルタを成膜したフィルタ板を結合対象の光伝送媒体とする場合には、フィルタ板を搭載するベース１７の溝が、フォトリソグラフィーなどの技術により定められた角度の傾斜を有して製作されるので、対向するライトガイドの端面もこれに一致する角度で研磨する。
【００４９】
本願発明において利用するライトガイド等の端面の傾斜方向を、互いに平行にアライメントして対向させ、あるいは補正目的の特定の方位に設定するために、軸周りに方位合わせするには、溝等に載置されたライトガイド等を、傾斜端面を上方あるいは側方から顕微鏡視認又はＣＣＤカメラによって画像解析しながら、そのライトガイド等の端面から遠いところをマニピュレータで把持し、軸周りに回転して方位決めする。
【００５０】
軸周り方位決定後は、同じマニピュレータによって光軸方向に変位させながら実際に光を入射させて結合光量をモニタし、その結合光量の最大となる光軸方向位置において該ライトガイド又は該調整用ライトガイドを位置決め固定する。位置決めされたライトガイドの固定には、例えば、ＵＶ接着剤を適用する。
【００５１】
図１０乃至図１２に示すような装置を製作するには、アレイ状に並ぶ光ファイバの一本ずつをそれぞれ図の右方のベース１７外の位置においてマニピュレータで把持し、上記の方法で実行して位置決め固定した後、それらの光ファイバのその右方端部において各ビクテイルとなる光ファイバと一本ずつ融着接続して図示のようなデバイス構成を得る。
【００５２】
伝送光は、光結合装置を相反に伝送するので、波長分波合波等の特定の用途の限定以外に関しては、本発明の装置においていずれの向きに伝送光を入射あるいは出射させて利用してもよい。
【００５３】
さらに、直列される２つの光結合装置からの選択およびそれらを直列接続する順序に限定はなく、いずれの組み合わせも可能である。この際、一方の結合装置と接続される他方の光結合装置の光伝送媒体は、一方の光結合装置のライトガイドとなる。
【００５４】
実施例２又は３によって説明したいずれかの第１の光結合装置と、もう一つの第２の光結合装置とを直列に接続させ、第１の光結合装置で利用されるライトガイドの端面の傾斜の方位と、第２の光結合装置で利用されるライトガイドの端面における傾斜の方位とが互いに直交するように構成して利用してもよい。
【図面の簡単な説明】
【００５５】
【図１】本発明に係る光結合装置の実施例１を示す構成図である。
【図２】図１に示した光結合装置の原理を説明するための構成図である。
【図３】図２に示したライトガイドが傾斜した時の調整量を示したグラフである。
【図４】本発明に係る光結合装置の実施例２を示す構成図である。
【図５】本発明に係る光結合装置の実施例３を示す構成図である。
【図６】図５に示した光結合装置のライトガイド９への焦点位置を説明するための構成図である。
【図７】本発明に係る光結合装置を合波分波器に利用した一例を示している構成図である。
【図８】本発明に係る光結合装置を合波分波器に利用した一例を示している構成図である。
【図９】本発明に係る光結合装置を合波分波器に利用した一例を示している構成図である。
【図１０】図９において説明した合波分波器を実装した例を示した平面図である。
【図１１】図１０の正面図である。
【図１２】図１０のＩ−Ｉ線断面図である。
【符号の説明】
【００５６】
１    光学的成膜基板
１ａ、１ｂ    光学的成膜
２，４，５，７，９，１９，４１〜４４，５９，６０    ライトガイド
３ａ，３ｂ，２８，２９，３０，５０，５１，５２，５３，６１，６２    光
８    調整用ライトガイド
１４，１６，１８，２４，２５，３１，４５〜４８，５６，５８    光ファイバ
１５，２１，３６ａ〜３６ｄ，５５    フィルタ板
１７    ベース
１７ａ    Ｖ溝
２０，２２，２３，３３，３７〜４０，５７    柱状レンズ
５９ａ，６０ａ    端面
θａ，θｂ，θｃ，θｄ    傾斜角
【図１】
2005292519.tif 000003
【図２】
2005292519.tif 000004
【図３】
2005292519.tif 000005
【図４】
2005292519.tif 000006
【図５】
2005292519.tif 000007
【図６】
2005292519.tif 000008
【図７】
2005292519.tif 000009
【図８】
2005292519.tif 000010
【図９】
2005292519.tif 000011
【図１０】
2005292519.tif 000012
【図１１】
2005292519.tif 000013
【図１２】
2005292519.tif 000014